(57)【要約】【課題】媒体本体２の裏面側に設けられているアンテナ５の組込み位置を、媒体本体２の表面側からでも認識して、リーダーライターによる情報の読取り効率や書込み効率を所定レベルに維持可能であって、リーダーライターが携帯式あるいは固定式に限らず、リーダーライターとアンテナ５との相対位置ないし相対姿勢を適性に確立しやすくすることができるＲＦＩＤ情報媒体を提供すること。【解決手段】媒体本体２の裏面側におけるアンテナ５の対応位置を媒体本体２の表面側に明示することに着目し、所定の表面積を有する媒体本体２と、媒体本体２の裏面側に位置するアンテナ５と、アンテナ５に接続しているとともに所定の情報を記憶したＩＣチップと、を有するＲＦＩＤ情報媒体であって、媒体本体２の裏面側におけるアンテナ５の位置を示すアンテナ位置表示部１０を媒体本体２の表面側に設けたことを特徴とする。【選択図】図１
2007219806.tif 000002
【特許請求の範囲】
【請求項１】
所定の表面積を有する媒体本体と、
この媒体本体の裏面側に位置する平面状のアンテナと、
このアンテナに接続しているとともに所定の情報を記憶したＩＣチップと、を有するとともに、
外部のリーダーライターによって少なくとも前記情報の読取りを可能としたＲＦＩＤ情報媒体であって、
前記媒体本体の裏面側における前記アンテナの位置を示すアンテナ位置表示部を前記媒体本体の表面側に設けたことを特徴とするＲＦＩＤ情報媒体。
【請求項２】
前記アンテナ位置表示部は、前記リーダーライターによる前記情報の読取りを最大効率にする位置にこれを設けたことを特徴とする請求項１記載のＲＦＩＤ情報媒体。
【請求項３】
前記アンテナ位置表示部は、前記アンテナが広がるアンテナ領域とほぼ重なり合うミシン目領域であることを特徴とする請求項１記載のＲＦＩＤ情報媒体。
【請求項４】
前記アンテナ位置表示部は、前記アンテナが広がるアンテナ領域とほぼ重なり合う切込み領域であることを特徴とする請求項１記載のＲＦＩＤ情報媒体。
【請求項５】
前記アンテナ位置表示部は、前記アンテナが広がるアンテナ領域とほぼ重なり合う印刷領域であることを特徴とする請求項１記載のＲＦＩＤ情報媒体。
【請求項６】
前記アンテナ位置表示部は、前記アンテナが広がるアンテナ領域の中心部を示すことを特徴とする請求項１記載のＲＦＩＤ情報媒体。
【請求項７】
前記アンテナ位置表示部は、前記アンテナが広がるアンテナ領域を示すように所定位置に設けた複数個のマークとすることを特徴とする請求項１記載のＲＦＩＤ情報媒体。
【発明の詳細な説明】
【技術分野】
【０００１】
本発明はＲＦＩＤ情報媒体にかかるもので、とくに非接触で情報の読取りや読書きを行うためのＲＦＩＤ情報媒体に関するものである。
【背景技術】
【０００２】
従来から、ＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うための各種のＲＦＩＤ情報媒体は、所定の表面積を有する、たとえば平面状の媒体本体と、この媒体本体の裏面側に位置する平面状のアンテナと、このアンテナに接続しているとともに所定の情報を記憶したＩＣチップと、を有するとともに、外部のリーダーライターによって上記情報の読取りや読書きを可能としている。
このようなＲＦＩＤ情報媒体は、遊園地や展示場における入場券その他のＲＦＩＤタグ、病院における各種薬剤などの特定管理用としてのＲＦＩＤラベル、あるいは患者の特定のためのリストバンドなどとして使用されている。
【０００３】
しかしながら、このＲＦＩＤ情報媒体とリーダーライターとの間の距離や傾き角度すなわちその相対位置や相対姿勢などによって、情報の読取り頻度が大きく変わってしまうという問題がある。
しかも、上記アンテナが媒体本体の裏面側に隠れて設けられていることになるため、その表面側からはアンテナの組込み位置がわかりにくく、リーダーライターによる読取り効率や読書き効率が低下するという問題がある。
とくに、リーダーライターが携帯式の場合には、操作者によっては、リーダーライターとアンテナとの相対位置ないし相対姿勢が定まりにくいという問題がある。
また、リーダーライターが固定式の場合であっても、不特定多数の人員がそれぞれ保有するＲＦＩＤ情報媒体を取り扱ってリーダーライターに当てようとしたときに、リーダーライターとアンテナとの相対位置ないし相対姿勢が定まりにくい場合には、同じく読取り効率や読書き効率の低下を避け難いという問題がある。
【０００４】
しかも、タグ、ラベルやリストバンドその他ＲＦＩＤ情報媒体の種類によっては、あるいはその表面側の印刷などによる表示内容や形態によっては、その裏面側におけるアンテナの位置も変わっている場合もあり、また、大きな媒体本体に小さなアンテナが取り付けられている場合にはアンテナの位置の確認がさらに面倒になるなど、各種のＲＦＩＤ情報媒体との間の情報の読取りや書込み操作が困難であるという問題がある。
【０００５】
【特許文献１】特開２００５−２３４８７１号公報
【発明の開示】
【発明が解決しようとする課題】
【０００６】
本発明は以上のような諸問題にかんがみなされたもので、リーダーライターによる情報の読取り効率や書込み効率を所定レベルに維持可能なＲＦＩＤ情報媒体を提供することを課題とする。
【０００７】
また本発明は、媒体本体の裏面側に設けられているアンテナの組込み位置を、媒体本体の表面側からでも認識可能なＲＦＩＤ情報媒体を提供することを課題とする。
【０００８】
また本発明は、大きな媒体本体の裏面側に比較的小さなアンテナが組み込まれていても、このアンテナの位置を容易に確認することができるＲＦＩＤ情報媒体を提供することを課題とする。
【０００９】
また本発明は、リーダーライターが携帯式あるいは固定式に限らず、リーダーライターとアンテナとの相対位置ないし相対姿勢を適性に確立しやすくすることができるＲＦＩＤ情報媒体を提供することを課題とする。
【課題を解決するための手段】
【００１０】
すなわち本発明は、媒体本体の裏面側におけるアンテナの対応位置を媒体本体の表面側に明示することに着目したもので、所定の表面積を有する媒体本体と、この媒体本体の裏面側に位置する平面状のアンテナと、このアンテナに接続しているとともに所定の情報を記憶したＩＣチップと、を有するとともに、外部のリーダーライターによって少なくとも上記情報の読取りを可能としたＲＦＩＤ情報媒体であって、上記媒体本体の裏面側における上記アンテナの位置を示すアンテナ位置表示部を上記媒体本体の表面側に設けたことを特徴とするＲＦＩＤ情報媒体である。
【００１１】
上記アンテナ位置表示部は、上記リーダーライターによる上記情報の読取りを最大効率にする位置にこれを設けることができる。
【００１２】
上記アンテナ位置表示部は、上記アンテナが広がるアンテナ領域とほぼ重なり合うミシン目領域であることができる。
【００１３】
上記アンテナ位置表示部は、上記アンテナが広がるアンテナ領域とほぼ重なり合う切込み領域であることができる。
【００１４】
上記アンテナ位置表示部は、上記アンテナが広がるアンテナ領域とほぼ重なり合う印刷領域であることができる。
【００１５】
上記アンテナ位置表示部は、上記アンテナが広がるアンテナ領域の中心部を示すことができる。
【００１６】
上記アンテナ位置表示部は、上記アンテナが広がるアンテナ領域を示すように所定位置に設けた複数個のマークとすることができる。
【００１７】
当該ＲＦＩＤ情報媒体は、タグ、ラベル、リストバンドなど、任意の形態を取ることができる。
上記媒体本体は、上記アンテナ位置表示部とは別に、上記ＩＣチップが保有する上記情報に関する表示を、印刷その他の手段により、その表面側に行うことができる。
【発明の効果】
【００１８】
本発明によるＲＦＩＤ情報媒体においては、媒体本体の表面側に設けたアンテナ位置表示部によって、媒体本体の裏面側におけるアンテナの対応位置を明示することにしたので、リーダーライターを用いてＩＣチップからの情報の読取りあるいはＩＣチップへの情報の書込みを行おうとする操作者は、ＲＦＩＤ情報媒体の表面側におけるアンテナ位置表示部の部分に合わせて適正な距離および角度をもってリーダーライターを合わせることが可能となり、媒体本体とアンテナとの相対的な大きさやアンテナの組込み位置に関係なく、また、リーダーライターが携帯式か固定式かに関係なく、従来より精度よくかつ簡単に読取り操作や読書き操作を行うことができる。
【発明を実施するための最良の形態】
【００１９】
本発明は、媒体本体の表面側に設けたアンテナ位置表示部によってアンテナの対応位置を明示することにし、アンテナとの位置合せないし角度合わせを容易にして、読取り誤りや書込み誤りなどを低下させることができるＲＦＩＤ情報媒体を実現した。
【実施例】
【００２０】
つぎに本発明の第１の実施例によるＲＦＩＤ情報媒体１を図１ないし図４にもとづき説明する。
図１は、ＲＦＩＤ情報媒体１の平面図、図２は、図１のＩＩ−ＩＩ線断面図、図３は、ＲＦＩＤ情報媒体１の裏面図である。ただし図２では、構造を明示するために厚さ方向を極端に誇張して描いてある。
ＲＦＩＤ情報媒体１は、たとえば遊園地の入場券としてこれを作成したもので、所定の表面積を有する媒体本体２と、ＲＦＩＤインレット３（とくに図２を参照）と、を有する。
【００２１】
媒体本体２は、任意の紙材料あるいは樹脂材料により、たとえば平面状に形成したもので、その表面側に必要な印刷（たとえば「・・・遊園地、入場券」など）を施しているとともに、その裏面側にＲＦＩＤインレット３を糊付けなどにより固定して取り付けている。
【００２２】
ＲＦＩＤインレット３は、樹脂製の保護シート４と、保護シート４に収容したアンテナ５およびＩＣチップ６と、を有する。
アンテナ５およびＩＣチップ６は、保護シート４内に収容可能な樹脂フィルム７に各種作成手法によりこれを形成している。
アンテナ５は、媒体本体２の裏面側に位置して所定面積を覆う平面状を呈しており、外部のリーダーライター８（図４）からの所定の周波数の読書きあるいは書込み用制御電波を受ける。
このアンテナ５が広がる所定面積部分の領域を、たとえば矩形状のアンテナ領域９とする。
ＩＣチップ６は、アンテナ５に接続しているとともに、たとえば入場券としての必要な情報を記憶している。
したがって、ＲＦＩＤ情報媒体１は、その表面側から外部のリーダーライター８が発する制御電波を、その裏面側に位置するＲＦＩＤインレット３が受信し、ＩＣチップ６からの情報の読取りやＩＣチップ６への書込みを可能としている。
【００２３】
とくに図１に示すように、本発明によるＲＦＩＤ情報媒体１においては、その媒体本体２の表面側にアンテナ位置表示部１０を設けている。
このアンテナ位置表示部１０は、媒体本体２の裏面側に位置しているアンテナ５の位置すなわち、アンテナ５が広がるアンテナ領域９を表面側において示すもので、リーダーライター８による情報の読取りを最大効率にする位置にこれを設けている。
アンテナ位置表示部１０は、アンテナ領域９とほぼ重なり合うように輪郭線を描いた、たとえば矩形状を呈するミシン目領域とすることができる。
ここで、「ほぼ重なり合う」とは、アンテナ位置表示部１０が媒体本体２の表裏面においてアンテナ領域９とほぼ同等の面積および形状を有して、ほぼ重なり合う状態にある場合はもちろん、アンテナ位置表示部１０がアンテナ領域９の内側に含まれたり、あるいは逆に、アンテナ領域９がアンテナ位置表示部１０の内側に含まれたりする状態も含むものとする。
なお、アンテナ位置表示部１０には、必要に応じて、たとえば「このミシン目の内側にリーダーライターを当てて下さい。」などと、操作のための補助指示をあらかじめ印刷しておくこともできる。
【００２４】
こうした構成のＲＦＩＤ情報媒体１において、ＲＦＩＤ情報媒体１（ＩＣチップ６）の情報をリーダーライター８によって読み取る操作を図４にもとづき説明する。
図４は、ＲＦＩＤ情報媒体１の情報をリーダーライター８によって読み取る操作を説明する斜視図であって、リーダーライター８の操作者は、ＲＦＩＤ情報媒体１の表面側に現れるアンテナ位置表示部１０をたよりにこのアンテナ位置表示部１０の部分にリーダーライター８を合わせるように、かつ、できるだけ互いに平行になるようにあてがう。
このアンテナ位置表示部１０の裏面側にはアンテナ領域９すなわちアンテナ５が位置しているので、情報の読取りを最大効率にする位置にリーダーライター８をあてがうことができ、情報の読取り効率さらには書込み効率を所定レベルに維持することができる。
したがって、とくにリーダーライター８が携帯式の場合に、その操作者は、ＲＦＩＤ情報媒体１の裏側に隠れているアンテナ５の位置をアンテナ位置表示部１０（ミシン目領域）によって的確に認定し、情報の読取りあるいは書込みを確実に実行可能である。
【００２５】
なお本発明においては、ミシン目によるアンテナ位置表示部１０の代わりに、アンテナ５が広がるアンテナ領域９とほぼ重なり合う輪郭線を浅い切込み（すなわち、アンテナ位置表示部１０が媒体本体２から切り離されない程度の浅い切込み）より切込み領域とすることもできる。
【００２６】
図５は、本発明の第２の実施例によるＲＦＩＤ情報媒体２０の平面図であって、ＲＦＩＤ情報媒体２０においては、そのアンテナ位置表示部２１は、アンテナ５が広がるアンテナ領域９とほぼ重なり合う輪郭線を媒体本体２の表面側に印刷した印刷領域としている。
なお、このアンテナ位置表示部２１に、たとえば「この枠内にリーダーライターを当てて下さい。」などの操作補助説明文を印刷しておくことができる。
上記印刷領域および操作補助説明文などは、これをあらかじめ印刷しておくこともできるし、任意のプリンター（図示せず）により必要時に印字するようにすることもできる。
【００２７】
こうした構成のＲＦＩＤ情報媒体２０によっても、上述のＲＦＩＤ情報媒体１（図１ないし図４）の場合と同様に、リーダーライター８による読取りおよび書込みの効率を向上させることができる。
また、当該ＲＦＩＤ情報媒体２０においては、アンテナ位置表示部２１を印刷により形成したので、媒体本体２の表面側における他の印刷と同様ないし同時に印刷することができ、製作が容易である。
【００２８】
図６は、本発明の第３の実施例によるＲＦＩＤ情報媒体３０の平面図であって、ＲＦＩＤ情報媒体３０においては、そのアンテナ位置表示部３１は、アンテナ５が広がるアンテナ領域９とほぼ重なり合う輪郭線内を目立つ所定の色あるいは模様などによってベタ印刷した印刷領域としている。
上記色あるいは模様は、リーダーライター８の色あるいは模様と同様にするか、あるいは、その他特色のあるものとして、操作者の目に付きやすいものとすることができる。
【００２９】
こうした構成のＲＦＩＤ情報媒体３０によっても、リーダーライター８による読取りおよび書込みの効率を向上させることができる。
とくに、目立ちやすい色や模様によってアンテナ位置表示部３１を形成したので、操作者はアンテナ５の対応位置をさらに認識しやすくなる。
【００３０】
図７は、本発明の第４の実施例によるＲＦＩＤ情報媒体４０の平面図であって、ＲＦＩＤ情報媒体４０においては、そのアンテナ位置表示部４１は、アンテナ５が広がるアンテナ領域９の中心部を示す丸マークを印刷したものである。
また、この丸マークと同じ媒体本体２の表面側に、たとえば「リーダーライター」の印刷をあらかじめ印刷しておくとともに、矢印４２によりこのアンテナ位置表示部４１（丸マーク）を指し示すようにすれば、さらにリーダーライター８を操作する上での手助けとなる。
【００３１】
こうした構成のＲＦＩＤ情報媒体４０によっても、リーダーライター８による読取りおよび書込みの効率を向上させることができる。
とくに、単純な丸マークなどによってアンテナ位置表示部４１を形成することができるので、印刷が簡単であるとともに、媒体本体２の表面側に各種の印刷あるいはデザインを施す場合にも邪魔になることがない。
【００３２】
なお本発明においては、図７中に仮想線で示すように、丸マーク４３を複数個準備し、アンテナ領域９を示すように、たとえばアンテナ領域９の四隅の所定位置に不連続な状態で設けることもできる。
【００３３】
図８は、本発明の第５の実施例によるＲＦＩＤ情報媒体５０の斜視図であって、ＲＦＩＤ情報媒体５０は、病院などにおいて使用される薬剤ビンＹに貼り付けられるＲＦＩＤラベルとして使用される例を示している。
このＲＦＩＤ情報媒体５０においては、そのアンテナ位置表示部５１は、図６のＲＦＩＤ情報媒体３０の場合と同様に、アンテナ５が広がるアンテナ領域９とほぼ重なり合う輪郭線内を目立つ所定の色や模様などによってベタ印刷した印刷領域としている。
【００３４】
こうした構成のＲＦＩＤ情報媒体５０によっても、リーダーライター８による読取りおよび書込みの効率を向上させることができる。
なお、このアンテナ位置表示部５１の色ないし模様を、アンテナ５（アンテナ領域９）の位置の表示用に用いるとともに、薬剤の使用目的や種類に応じて分類分けとして兼用することもできる。
【００３５】
図９は、本発明の第６の実施例によるＲＦＩＤ情報媒体６０の平面図であって、ＲＦＩＤ情報媒体６０は、病院などにおいて患者を特定するために使用されるリストバンドとして使用される例を示している。
このＲＦＩＤ情報媒体６０においては、そのアンテナ位置表示部６１は、アンテナ５が広がるアンテナ領域９とほぼ重なり合う、たとえば、輪郭線を印刷した印刷領域としている。
また、アンテナ位置表示部６１内に、さらに注意を引くために、たとえば「ＲＦＩＤアンテナ」などと印刷しておくこともできる。
なおＲＦＩＤ情報媒体６０（リストバンド）においては、その表面側に、患者の氏名や血液型その他患者を特定するための必要な情報およびこれらの情報に関連したデータについてバーコードや二次元コードなどをあらかじめ印刷してある。
【００３６】
こうした構成のＲＦＩＤ情報媒体６０によっても、リーダーライター８による読取りおよび書込みの効率を向上させることができる。
とくに、リストバンドとしてのＲＦＩＤ情報媒体６０は、患者の手首あるいは足首などに外れないように取り付けるものであるから、アンテナ５のアンテナ領域９にリーダーライター８を間違うことなく、適切に、かつ速やかに当てて情報の読取りなどを行うことができるので、患者への負担を軽減することができる。
【図面の簡単な説明】
【００３７】
【図１】本発明の第１の実施例によるＲＦＩＤ情報媒体１の平面図である。
【図２】同、図１のＩＩ−ＩＩ線断面図である。
【図３】同、ＲＦＩＤ情報媒体１の裏面図である。
【図４】同、ＲＦＩＤ情報媒体１の情報をリーダーライター８によって読み取る操作を説明する斜視図である。
【図５】本発明の第２の実施例によるＲＦＩＤ情報媒体２０の平面図である。
【図６】本発明の第３の実施例によるＲＦＩＤ情報媒体３０の平面図である。
【図７】本発明の第４の実施例によるＲＦＩＤ情報媒体４０の平面図である。
【図８】本発明の第５の実施例によるＲＦＩＤ情報媒体５０の斜視図である。
【図９】本発明の第６の実施例によるＲＦＩＤ情報媒体６０の平面図である。
【符号の説明】
【００３８】
１  ＲＦＩＤ情報媒体（第１の実施例、図１）
２  媒体本体
３  ＲＦＩＤインレット
４  保護シート
５  アンテナ
６  ＩＣチップ
７  樹脂フィルム
８  リーダーライター（図４）
９  アンテナ領域
１０  アンテナ位置表示部（ミシン目領域）
２０  ＲＦＩＤ情報媒体（第２の実施例、図５）
２１  アンテナ位置表示部（印刷領域）
３０  ＲＦＩＤ情報媒体（第３の実施例、図６）
３１  アンテナ位置表示部（ベタの色付きあるいは模様による印刷領域）
４０  ＲＦＩＤ情報媒体（第４の実施例、図７）
４１  アンテナ位置表示部（アンテナ領域９の中心部に設けた丸マーク）
４２  矢印
４３  複数個の丸マーク
５０  ＲＦＩＤ情報媒体（第５の実施例、図８）
５１  アンテナ位置表示部（ベタの色付きあるいは模様による印刷領域）
６０  ＲＦＩＤ情報媒体（第６の実施例、図９）
６１  アンテナ位置表示部（印刷領域）
Ｙ    薬剤ビン（図８）
【図１】
2007219806.tif 000003
【図２】
2007219806.tif 000004
【図３】
2007219806.tif 000005
【図４】
2007219806.tif 000006
【図５】
2007219806.tif 000007
【図６】
2007219806.tif 000008
【図７】
2007219806.tif 000009
【図８】
2007219806.tif 000010
【図９】
2007219806.tif 000011